(57)【要約】      （修正有）【課題】プレーヤ本体部から外れてしまうことがなく、プレーヤ本体部に重なり状態に或る程度ふくらんで巻き付けられたコードに対しても有効、確実にコードを本体部に固定できる携帯用音楽プレーヤのイヤホンコード止め具を提供する。【解決手段】携帯用音楽プレーヤの本体部１に巻き付けられたイヤホンコード２の止め具１１であって、プレーヤ本体部１のジャックに隣在して該プレーヤ本体部１の底面１ａに密着可能な台板３と、この台板３の端部に係合され、かつ、イヤホンコード２のプラグ基端に続くコード膨らみ部６と嵌合するコード嵌合部７と、台板３の片端部分に枢着され、該台板３に対して間隙を有して台板上面にかぶさる開閉可能なコード押え部材５と、このコード押え部材５を、台板上面にかぶさった状態で、台板３に対して固定する押え部材固定手段（係止突起１８）とを有している。【選択図】図１
2010258847.tif 000002
【特許請求の範囲】
【請求項１】
携帯用音楽プレーヤの本体部に巻き付けられたイヤホンコードの止め具であって、前記プレーヤ本体部のジャックに隣在して該プレーヤ本体部の底面に密着可能な台板と、前記台板の端部に係合され、かつ、イヤホンコードのプラグ基端に続くコード膨らみ部と嵌合するコード嵌合部と、前記台板の片端部分に枢着され、該台板に対して間隙を有して台板上面にかぶさる開閉可能なコード押え部材と、前記コード押え部材を、前記台板上面にかぶさった状態で、前記台板に対して固定する押え部材固定手段とを有ことを特徴とする携帯用音楽プレーヤのコード止め具。
【発明の詳細な説明】
【技術分野】
【０００１】
本発明は携帯用音楽プレーヤのイヤホンコードの止め具、より具体的には、プレーヤ本体部に巻き付けられたイヤホンコードを該本体部からほどけないように留め付けるコード止め具に関する。
【背景技術】
【０００２】
携帯用音楽プレーヤは、使用者の耳に挿入するイヤホンにつながるコードの先端をプレーヤ本体部の側部にあるジャックに差し込んで使用されるが、非使用時にイヤホンを耳から外した場合、コードはプラグを前記ジャックに差し込んだままプレーヤ本体部に巻き付けておくのが普通である。しかし、この状態でポケットに入れるなどして持ち運びすると、巻き付けたコードがプレーヤ本体部から外れたり、コードが絡まったりして、使用再開するときコードがスムーズに延びきらず、非常に不便である。
【０００３】
このような状態をなくすために従来、プレーヤ本体部のジャックに差し込んだコードを本体部とは別体の留め溝の付いた板状あるいは棒状の小片部材に巻き付けるようにしたもの、あるいは下記の非特許文献１に示すような紙止めに似たクリップを用いて、プレーヤ本体部に巻き付けたコードの巻付け部を該巻付け部の表裏側から挟み付けるようにした弾性クリップも市販されている。
【非特許文献１】商品名イアーバドクリップ（米ＲＫＯＨ  ＮＹＣ社製、株式会社エフ・アール社販売）製品カタログ
【発明の開示】
【発明が解決しようとする課題】
【０００４】
上述した本体部とは別体の小片部材にイヤホンコードを巻き付けて該部材の留め溝にコード巻端を係止する構造のものは、小片部材が前記コードと一体になり、しかもこの状態で前記コードのプラグをプレーヤ本体部のジャックに差し込むことができるので、前記本体部と小片部材がコードを介して連結され、この点では、コードがほどけたりせず、またコードを巻いた小片部材を紛失してしまうことは避けられるものの、糸巻きのような小片部材がコードを介してプレーヤ本体部につながっているだけなので、ポケットにしまい込んだり、取り出したりする際に板状の前記小片部材がぶらぶらして非常に煩雑であり、コードも傷みやすいという欠点がある。
【０００５】
非特許文献１に示される紙止めに似たコード留め用クリップは、プレーヤ本体部に対してコードを平らに整列した状態（巻き揃えた状態）に巻き付けておかないと、コードの巻き部を表裏側から挟み付けるように巻き部に差し込むのが難しくなり、また、使用時にクリップを外した後、紛失してしまうおそれがある。
【０００６】
イヤホンを耳に差し込んだ使用状態で、前記クリップを、伸長したコードの中途部に通して該コードに固定しておくこともできるとしているが、この状態でもコードの中途部を前記クリップの奥端に通しておくだけなので、前記クリップがコードに沿ってすべり動くことがあり、使用者にとっては煩わしいといった問題が指摘される。
【０００７】
本発明は上述した従来のコード止めの不具合をなくし、プレーヤ本体部から外れてしまうことがなく、また、プレーヤ本体部に重なり状態に或る程度ふくらんで巻き付けられたコードに対しても有効かつ確実にコードを本体部に固定できる携帯用音楽プレーヤのイヤホンコード止め具を提供することにある。
【課題を解決するための手段】
【０００８】
本発明の請求項１に係る携帯用音楽プレーヤのコード止め具は、携帯用音楽プレーヤの本体部に巻き付けられたイヤホンコードの止め具であって、前記プレーヤ本体部のジャックに隣在して該プレーヤ本体部の底面に密着可能な台板と、前記台板の端部に係合され、かつ、イヤホンコードのプラグ基端に続くコード膨らみ部と嵌合するコード嵌合部と、前記台板の片端部分に枢着され、該台板に対して間隙を有して台板上面にかぶさる開閉可能なコード押え部材と、前記コード押え部材を、前記台板上面にかぶさった状態で、前記台板に対して固定する押え部材固定手段とを有し、前記プレーヤ本体部のジャックに差し込まれたイヤホンコードが前記台板の上から該プレーヤ本体部に巻き付けられて前記コード押え部材の閉成により、イヤホンコードの巻き部が拘束される。
【発明の効果】
【０００９】
本発明によれば、イヤホンコードのプラグを利用してプレーヤ本体部に簡単に装着、固定でき、音楽プレーヤの非使用時にプレーヤ本体部に巻き付けられたコードを、台板に対して開閉する押え部材の閉じ操作で、前記台板にほどけないように挟み付けることができる。コード止め具をプレーヤ本体部から外した場合にも、イヤホンコードのプラグ部位に嵌合して保持されるので、紛失するおそれがない。
【発明を実施するための最良の形態】
【００１０】
以下、本発明を図面を参照しつつ各種の好ましい実施形態について詳細に説明する。
【００１１】
（実施形態１）
図１は、本発明の実施形態１に係るコード止め具１１を携帯用音楽プレーヤに装着した状態で示した斜視図である。なお、この図はプレーヤ本体部１にイヤホンコード２を巻き付けた状態で示してある。この実施形態１のプレーヤ本体部１は、全体として薄形矩形状の形状を成し、その上面に表示部および操作キー（いずれも図示せず）を有し、長手方向片端部にイヤホンコード２のプラグが差し込まれるジャックおよびスイッチ等（図示せず）が設けられている。図１はプレーヤ本体部１の上面と反対側の面、即ち底面１ａ側からみたものである。
【００１２】
後述するように、実施形態１のコード止め具１１はプレーヤ本体部１の底面１ａに密着状態に配置される台板３と、台板３の上面（表面）３ａに対して開閉するコード押え部材（コード押えピン）５と、台板３の長さ方向片端部に設けられ、かつプレーヤ本体部１のジャックに差し込まれるイヤホンコード２のプラグ近くの膨らみ部６に嵌合する嵌合孔付きコード嵌合部（コード嵌合駒）７とを有し、図示のように台板３の上からプレーヤ本体部１に巻き付けられたイヤホンコード２を前記コード押え部材５で押え付けてコード２のゆるみや外れを防止するようになっている。
【００１３】
図２は図１に示した実施形態１におけるコード止め具１１を分解して示した斜視図、図３は組立て後のコードに固着した状態のコード止め具１１の側面図である。図２の図示状態においては、止め具１１の台板３は裏面３ｂ（プレーヤ本体部１の底面１ａに密着する面）側から見た状態を示している。大略長方形状の台板３の一端側で、かつ台板３の前記裏面３ｂに、２部分に仕切られた矩形状の凹部８，９が形成され、一方の凹部８には幅方向に対向した一対のピン挿入溝１０が形成されている。台板３の表面は前記凹部８，９に対応する片端部位が盛り上がるように厚肉となっている（図１、符号１３）。
【００１４】
台板３の裏面３ｂに形成された一方の凹部８は部分的に台板３の表面３ａ側へ露出しており、他方の凹部９は前記一方の凹部８よりも台板３の端部側に寄って形成され、かつ該凹部９は台板表面３ａには露出していない。凹部９に続いて台板３の端部には後述のコード嵌合駒７が挿入される端部開口１２が形成されている。前記一方の凹部８には台板３の表面３ａ側から後述するコード押え部材（コード押えピン）５の基端部５ａが挿入される。これらの凹部８，９は裏蓋１５で閉塞され、これによってピン挿入溝１０が画成される。
【００１５】
コード押えピン５は、全体として２つ折りに形成されたバネ性のある長尺のワイヤピン部材で形成され、かつ中途部に対向した２箇所の「く」形曲折部５ｂで構成された傾斜部５ｃを有している。コード押えピン５の一端部（基端部）５ａは外方へ向けてＬ形に折曲され、また２つ折りの折曲げ先端部の近傍部分には外側へ膨らんだ面板挟み部５ｄが形成されている。この面板挟み部５ｄには図１，図２に示すような面板２０の裏面２０ａ（台板３の表面３ａに対面する面）に形成された略円形ないし略楕円形の突部２１がきつく挟み付けられ、これによって円形〜長円形の面板２０がコード押えピン５に固着される。なお、面板２０の表面２０ｂ（図１）には適当なキャラクタあるいは模様、図案などが描かれるか、あるいはこれらを表示したシール等が貼り付けられる。
【００１６】
コード押えピン５は、そのバネ性によって基端部５ａ側が該ピンの伸長方向に対して横方向に弾性変形可能であり、自然状態では両基端部５ａが外方へ拡がるように開いている。この状態でコード押えピン５の基端部近傍部分の両側部を若干内側へ押圧し、該ピン５のＬ形に折曲した基端部５ａの間隔を狭めて台板３の表面３ａ側から凹部８内へ差し込み、基端部５ａを該凹部８のピン挿入溝１０に挿入する。なお、図３では前記面板は図示省略してある。
【００１７】
このようにしてコード押えピン５は、基端部５ａがピン挿入溝１０に軸支され、この基端部５ａを支点にして回転可能となり、台板３の表面３ａに近接した状態（閉成状態、図３の実線状態）と、先端側が台板３の表面３ａから大きく離れた状態（開成状態、図３の仮想線状態）との間で開閉可能となる。なお、コード押えピン５の開成状態で該ピン５の基端部近傍部分を台板３に確実に保持するために、台板３の表面３ａに露出する凹部８の開口部の両側に凸わん曲状の張出し部１６が形成されている（図１）。コード押えピン５は閉成状態で前記張出し部１６の下側（裏側）に入り込むが、開成時は前記張出し部１６の凸わん曲面を該ピン５の弾性変形で滑りながら開成動作する。ただし、この張出し部１６は必ずしも必須のものではなく、凹部８の開口部にはこのような張出し部１６は形成されなくてもよい。
【００１８】
コード押えピン５の先端部５ｅはわん曲状態に折曲しており、また、閉成状態の該ピン５の先端部位置に対応して、台板３の表面３ａには押えピン５の係止突起１８が形成されている。この係止突起１８は、押えピン５のわん曲した先端折返し部に挿入されて、その頂部の張出し部１８ａの下面が押えピン５と係合することにより、押えピン５を台板３に対して閉成状態に掛け留めするようになっている。
【００１９】
コード嵌合部（コード嵌合駒）７は、台板３に対して着脱可能に構成され、図２に明示するように、全体としては側面視略Ｌ状の部材であって、そのＬ状部分の一辺部２７に、イヤホンコード２のプラグ２２（図３）に連接したコードの膨らみ部６（図１、図３）が嵌合・挿入される嵌合孔２３が形成され、他辺部２８には台板端部側の凹部９に挿入されて該凹部９に係止される係止爪部２９が形成されている。
【００２０】
具体的には、嵌合駒７の前記他辺部２８は、中心部に挿入方向に沿って切込み部３０が形成され、これによって挿入方向に対して直角方向に若干弾性変位可能となり、この弾性変位を利用して台板３の端部開口１２から凹部９内に挿入したとき、嵌合駒７の係止爪部２９は凹部９の内壁を滑って裏蓋１５を止める凹部内の段部３１の奥端に係合する。また、嵌合駒７を外すときは、指先で嵌合駒７の前記他辺部２８を挟んで押圧し、係止爪部２９の部分を内側へ弾性変形させて段部３１との係合を解くことにより、容易に嵌合駒７を台板３から抜き取ることができる。
嵌合駒７の前記一辺部２７の嵌合孔２３の一部にスリット３２が形成され、これによってプラグの膨らみ部６を嵌合孔２３に圧入するのを容易にしている。
【００２１】
図３に明示するように、コード２のプラグ２２をプレーヤ本体部１のジャックに挿入したとき、台板３の裏面３ｂがプレーヤ本体部１の表面１ａに密着、あるいは概ね接触するようになっている。このような状態となるように台板３に対する嵌合駒７の嵌合孔２３の孔中心位置が定められる。
【００２２】
上述の構成で、台板３にコード嵌合駒７を挿入、固定し、コード２のプラグ近傍の膨らみ部６を嵌合駒７の嵌合孔２３に圧入する。そして、イヤホンコード２のプラグ２２をプレーヤ本体部１のシャックに挿入する。この状態で台板３はプレーヤ本体部１の底面１ａに接当する。この状態で音楽プレーヤを聴取使用することもできるが、非使用時には、コード押えピン５を台板３から開成するとともに、コード２のプラグ２２をプレーヤ本体部１のジャックに挿入したまま、イヤホン３４につながるコード２をプレーヤ本体部１に台板３の上から巻き付け、押えピン５を台板３に閉じてその先端の折返し部５ｅを台板３の係止突起１８に係合させて押えピン５を固定する。プレーヤ本体部１と台板３に巻き付けられたコード２は押えピン５によって拘束され、プレーヤ本体部１から外れたり、ほどけたりするのが防止される。
【００２３】
上述の状態は音楽プレーヤを使用していないときの場合であるが、前記プレーヤの使用時において例えばコード２が長すぎる場合に、適当な量だけコードを台板３とプレーヤ本体部１に巻いた後、押えピン５でコード巻き部を押えてイヤホンを使用することもできる。これによって、使用時のコード２の長さを調整することが可能である。
【００２４】
このように本発明においては、コード止め具１１はイヤホンコード２のプラグのコード膨らみ部６に保持されるところに特長があり、プラグをプレーヤ本体部１から抜き取った状態においても、コード止め具１１がイヤホンコード２に保持され、したがってプレーヤとイヤホンコード２を分離した状態でもコード２を台板３に巻き付けて押えピン５で拘束することにより、プレーヤと別体で、コード全体を嵩張らない状態で使用者のポケットなどに収納することが可能となる。さらに、コード止め具１１を使用しないときにも、嵌合駒７は台板３から容易に抜き取ることができるので、嵌合駒７をイヤホンコード２に固着したまま、台板３側のみを別体として収納しておくことも可能である。止め具１１を使用しないときに、嵌合駒７のみをコード２に固定しておいても、嵌合駒７は小形であるため、嵌合駒７の付いたイヤホンコード２をプレーヤ本体部１につないでプレーヤを使用しても何ら邪魔になることはない。
【００２５】
（実施形態２）
図４は本発明の実施形態２に係るコード止め具１１の側面図である。上述の構成では、コード押えピン５は台板３のジャック側端部近くに軸支され、該押えピン５の開成時にはコードプラグ側へ、つまりコード膨らみ部６側へ向けて該押えピン５を開くようにしたが、本発明は必ずしもこのような構成に限定されるものではなく、プレーヤ本体部１のジャック側と反対側の台板端部３ｃにコード押えピン５を軸支するようにしてもよい。この場合は、台板３は両端部表面に肉厚となった盛上り部１３，３３が形成され、かつプレーヤ本体部１のジャック端部に対応する台板端部３ｄに、嵌合駒７の挿入開口が形成されるとともに、盛上り部１３上にコード押えピン５の折返し先端部５ｅを係止する係止突起１８が設けられる。
【００２６】
台板３のジャック端部と反対側の台板端部は図１、図２で説明したのと同様のピン基端部５ａの挿入開口およびピン基端部のＬ形折曲部を軸支するピン挿入溝が形成される。押えピン５の先端部近傍あるいはピン中途部に図１で示したようなキャラクタを表示した面板（図４では図示省略）が取り付けられてもよいことは実施形態１と同様である。コード嵌合駒７の形態および該嵌合駒の台板端部への挿入、係止構造も図２に示す実施形態１と同様でよい。
【００２７】
実施形態２のようにコード押えピン５をプレーヤ本体部１のジャック側と反対側の台板端部３ｃに軸支することにより、台板３が本体部底面１ａに接当している状態でコード押えピン５が本体部１のジャック側と反対側へ向けて開き動作することになり、開成動作時に台板３の端部３ｃ（ジャック側と反対側の台板端部）が押えピン５の開きにつれてプレーヤ本体部１から浮き上がるのが抑制され、嵌合駒７と台板３との係合部に過大な応力が集中しなくなる。また、コード押えピン５はジャックからコード２の伸長側と反対側へ開く形態となるため、ジャックの軸線方向に延在したコード２を台板３およびプレーヤ本体部１に巻き付ける際に、開成した押えピン５が邪魔にならず、コード２の巻き付け操作がよりスムーズになされ得る。なお、コード止め具１１は、プレーヤ非使用時のコードの巻き付け保持以外にも、使用時にコードの一部を台板３に巻き付けてコードの長さ調整の際のコード止めに用いられ得ることは実施形態１の場合と同様である。
【００２８】
以上説明したように本発明によれば、イヤホンコードのプラグを利用してプレーヤ本体部に簡単に装着、固定でき、音楽プレーヤの非使用時にプレーヤ本体部に巻き付けられたコードを、台板に対して開閉する押え部材の閉じ操作でほどけないように挟み付けることができる。プレーヤ本体部から外した場合にも、イヤホンコードのプラグ部位に嵌合して保持されるので、紛失するおそれがない。
また、本発明によるコード止め具は、イヤホンを耳に装着して音楽を聴く場合に、コードが長すぎて邪魔になるようなときに、前記コードを適切な長さになるようにプレーヤ本体部に巻き付けてコードを長さ調整し、この巻き部分をプレーヤ本体部に留めるようなときにも使用可能である。
【図面の簡単な説明】
【００２９】
【図１】本発明の実施形態１に係るコード止め具を携帯用音楽プレーヤに装着した状態で示した斜視図である。
【図２】図１に示した実施形態１におけるコード止め具を分解して示した斜視図である。
【図３】実施形態１に係る組立て後のコードに固着した状態のコード止め具の側面図である。
【図４】本発明の実施形態２に係るコード止め具の側面図である。
【符号の説明】
【００３０】
１  プレーヤ本体部
２  イヤホンコード
３  台板
５  コード押え部材（押えピン）
６  プラグ近傍のコード膨らみ部
７  コード嵌合駒
１０  ピン挿入溝
１１  コード止め具
１８  係止突起
２０  面板
２３  嵌合孔
【図１】
2010258847.tif 000003
【図２】
2010258847.tif 000004
【図３】
2010258847.tif 000005
【図４】
2010258847.tif 000006